(57)【要約】【課題】過熱することなく少ないエネルギー消費で、長時間にわたって高い保持トルクモードで作動できる電気油圧式アクチュエータに対する要望がある。【解決手段】電気油圧式アクチュエータは、マスタシリンダ、モータ、及び電気機械式ブレーキを含む。マスタシリンダは、油圧シリンダと、油圧回路内の圧力を変更するために油圧シリンダ内に摺動可能に収容される作動ピストンとを有する。モータは、作動ピストンを油圧シリンダ内に駆動するように構成される。モータは、ステータ及びロータを有する。電気機械式ブレーキは、ステータに対して選択的及び解放可能にロータを保持するように配置され、ステータとロータとの間の回転運動を阻止する。【選択図】図１
2013135612.tif 000002
【特許請求の範囲】
【請求項１】
油圧回路のための電気油圧式アクチュエータであって、
油圧シリンダと、前記油圧シリンダ内に摺動可能に収容されて前記油圧回路内の圧力を変更する作動ピストンを含むマスタシリンダと、
ステータ及びロータを備え、前記作動ピストンを前記油圧シリンダ内に駆動するように構成されるモータと、
前記ロータを前記ステータに対して選択的に及び解放可能に保持するように配置され、前記ロータと前記ステータとの間の相対運動を妨げるようになった電気機械式ブレーキと、
を備えるアクチュエータ。
【請求項２】
前記モータが、ブラシレスＤＣモータ又はステッピングモータである、請求項１に記載のアクチュエータ。
【請求項３】
前記モータが、軸線に沿って直線的に移動する出力軸を有する、請求項１又は２に記載のアクチュエータ。
【請求項４】
前記電気機械式ブレーキが、前記ステータに対して固定される電磁石と、前記ロータと一緒に回転するように固定されるブレーキディスクとを備える、請求項１から３のいずれかに記載のアクチュエータ。
【請求項５】
前記ブレーキディスクは、該ブレーキディスクが前記ロータの軸線方向に移動することを可能にする弾性部材によって前記ロータに結合されるが、前記ブレーキディスクは、前記ロータと一緒に回転するように固定される、請求項４に記載のアクチュエータ。
【請求項６】
前記電磁石が、鉄心と、該鉄心の周りに配置されて該鉄心に磁場を誘発するように構成されたコイルとを備える、請求項４又は５に記載のアクチュエータ。
【請求項７】
前記電気機械式ブレーキが、摩擦面を更に備え、前記電磁石が、前記ブレーキディスクを付勢して前記摩擦面と接触させて前記ステータに対して前記ロータを保持するように構成される、請求項６に記載のアクチュエータ。
【請求項８】
前記摩擦面が、鉄心上に形成される、請求項７に記載のアクチュエータ。
【請求項９】
前記鉄心が、環状リングであり、前記モータに対抗する基部、前記ブレーキディスクに対抗する開放端部、及び前記基部と前記開放端部との間に延びてチャンネルを形成する２つの側面をもつＵ字型断面を有し、前記コイルがチャンネル内に配置される、請求項７又は８に記載のアクチュエータ。
【請求項１０】
前記ブレーキディスクが、前記電磁石が非アクティブの場合に、空隙を挟んで前記鉄心の開放端部と対向する、請求項９に記載のアクチュエータ。
【請求項１１】
前記ブレーキディスクが、前記ブレーキが非アクティブの場合に、空隙を挟んで前記鉄心の開放端部と対向し、前記ブレーキがアクティブの場合に、前記摩擦面に係合する、請求項９に記載のアクチュエータ。
【発明の詳細な説明】
【技術分野】
【０００１】
本発明は、電気油圧式アクチュエータに関し、詳細には、一体型ブレーキを有する電気油圧式アクチュエータに関する。
【背景技術】
【０００２】
電気油圧式アクチュエータは、油圧回路のマスタシリンダのプランジャを駆動するモータを含む。このような装置は、ブレーキシステム及びクラッチシステムなどの自動車用途に使用することができる。モータは、作動ピストンを油圧シリンダの中に直線的に動かし、これにより油圧回路全体の圧力が上昇する。作動時、圧力は比較的低いので、モータは、ピストンを動かすために必要なトルクを与えるために多くの電流（電力）を必要としない。作動終了時、物理的障害物が（ストロークの最後に）到達する、圧力が指数関数的に増大して高い値に達する。この高い圧力により、作動ピストン上に高い軸方向反力が発生するので、モータに大きな動力を供給することを必要とする、大きな保持トルクが必要となる。この保持トルクをモータによって与える必要がある場合、高い電流レベルを維持する必要があり、結果的にエネルギー消費及び熱放散が大きくなり最終的に過熱につながる場合もある。
【０００３】
現在、自動車の構成要素が消費するエネルギーは、燃料を動力源とする車両の燃料消費又はバッテリを動力源とする車両のバッテリ充電寿命に直接影響を及ぼすので非常に重要である。
【発明の概要】
【発明が解決しようとする課題】
【０００４】
従って、過熱することなく少ないエネルギー消費で、長時間にわたって高い保持トルクモードで作動できる電気油圧式アクチュエータに対する要望がある。
【課題を解決するための手段】
【０００５】
本発明では、前述の課題は、高い保持トルクを維持して、マスタシリンダがモータの逆駆動を防止して、保持モード時にはモータが駆動されないようになった、電気機械式ブレーキを有するモータを使用することで解決される。
【０００６】
従って、１つの態様において、本発明は、油圧回路のための電気油圧式アクチュエータを提供し、アクチュエータは、油圧シリンダと、油圧シリンダ内に摺動可能に収容されて油圧回路内の圧力を変更する作動ピストンを含むマスタシリンダと、ステータ及びロータを備え作動ピストンを油圧シリンダ内に駆動するように構成されるモータと、ロータをステータに対して選択的に及び解放可能に保持するように配置され、ロータとステータとの間の相対運動を妨げるようになった電気機械式ブレーキとを備える。
【０００７】
好ましくは、モータが、ブラシレスＤＣモータ又はステッピングモータである。
【０００８】
好ましくは、モータが、軸線に沿って直線的に移動する出力軸を有する。
【０００９】
好ましくは、電気機械式ブレーキが、ステータに対して固定される電磁石と、ロータと一緒に回転するように固定されるブレーキディスクとを備える。
【００１０】
好ましくは、ブレーキディスクは、該ブレーキディスクがロータの軸線方向に移動することを可能にする弾性部材によってロータに結合されるが、ブレーキディスクは、ロータと一緒に回転するように固定される。
【００１１】
好ましくは、電磁石が、鉄心と、該鉄心の周りに配置されて該鉄心に磁場を誘発するように構成されたコイルとを備える。
【００１２】
好ましくは、電気機械式ブレーキが、摩擦面を更に備え、電磁石が、ブレーキディスクを付勢して摩擦面と接触させてステータに対してロータを保持するように構成される。
【００１３】
好ましくは、摩擦面が、鉄心上に形成される。
【００１４】
好ましくは、鉄心が環状リングであり、前記モータに対抗する基部、前記ブレーキディスクに対抗する開放端部、及び前記基部と前記開放端部との間に延びてチャンネルを形成する２つの側面をもつＵ字型断面を有し、前記コイルがチャンネル内に配置される。
【００１５】
好ましくは、ブレーキディスクが、電磁石が非アクティブの場合に、空隙を挟んで鉄心の開放端部と対向する。
【００１６】
好ましくは、ブレーキディスクが、ブレーキが非アクティブの場合に、空隙を挟んで鉄心の開放端部と対向し、ブレーキがアクティブの場合に、摩擦面に係合する
【００１７】
本発明は、動作時間が非常に短いが保持モード時間が長い用途に対して特に有用である。特定の用途では、保持モード時間は、アクチュエータ作動時間の大部分である場合がある。従って、保持モード時にエネルギー消費を低減することはて非常に有利である。車両のブレーキアクチュエータの場合、デューティサイクルは、車両の運転時間の１０％未満とすることができる。
【００１８】
本発明の好ましい実施形態は、添付図面を参照して例示的に説明される。各図において、２つ以上の図面に現れる同じ構造体、要素、又は部品は、一般に全ての図で同じ参照番号を用いて表記される。図示の構成要素及び特徴部の寸法は、一般に、便宜的に明瞭化のために選択され、必ずしも縮尺通りでではない。
【図面の簡単な説明】
【００１９】
【図１】本発明の好ましい実施形態による電気油圧式アクチュエータの断面図である。
【図２】図１のアクチュエータの一部であるブレーキ機構の拡大断面図である。
【発明を実施するための形態】
【００２０】
図１は部分的断面図であり、本発明の好ましい実施形態による電気油圧式アクチュエータ１０を示す。アクチュエータ１０は、マスタシリンダ１２、モータ１４、及びブレーキ１６を含む。一般的に、マスタシリンダは、１つ又はそれ以上のスレーブシリンダを駆動するために、油圧回路（図示せず）に接続されるように構成される。スレーブシリンダは、クラッチ移動装置等の２つの操作位置を有しこの２つの位置の間で制御された動きを必要とするもの、又はブレーキシステムのブレーキパッド等のスレーブシリンダの動きがブレーキパッドに加えられる力の大きさ、従ってブレーキが与える摩擦量を変えるように制御される、押し込み作動をするものを動かすように構成される。いずれの場合も、マスタシリンダの作動ピストンに対して所定レベルのプッシュバックがあり、これは油圧回路が加える力が大きくなると増大する。
【００２１】
マスタシリンダは、作動流体、油圧オイルを貯蔵するオイルタンクを有する。オイルタンクは、油圧シリンダと連通している。作動ピストン２２は、ピストンの第１の端部が油圧シリンダ中に入るように、油圧シリンダに沿って摺動するように構成される。１つ又はそれ以上のシールは、油圧シリンダに対して作動ピストンをシールして、作動ピストンが油圧流体を圧縮した際に油圧流体が逃げるのを防止する。作動ピストン２２は、油圧シリンダに入る第１の端部から遠く離れた第２の端部に設けられた拡大ヘッド又はフランジ２４を有する。フランジは好ましくは、第２の端部に設けられるが、第１の端部と第２の端部の間に設けることもできる。しかしながら、フランジは、油圧シリンダ内に入らないので、フランジの位置が軸方向の作動ピストンの動き又はストロークに影響を与える場合がある。フランジは、１つ又はそれ以上のガイドピント２６と協働してピストンをシリンダと位置合わせする。ガイドピン２６は、作動ピストンをホーム位置又は休止位置に戻すための、フランジとマスタシリンダ１２の本体との間に延びる伸縮バネ２８を支持する。
【００２２】
モータ１４は、好ましくはスクリュー３０によってマスタシリンダ１２の本体に固定される。モータは、ブラシレスＤＣモータ又はステッピングモータである。モータのロータの回転運動は、ロータの回転軸線と位置合わせされたねじ付き出力軸３２の直線運動に変換される。出力軸３２は、休止位置から油圧シリンダ２０の中にピストンを押し込み油圧回路に圧力をかけるように、作動ピストンを支持するように構成される。出力軸は、作動ピストンの第２の端部で軸方向に延びる止まり穴に収容されるように示されている。
【００２３】
モータ１４の他端には電気機械式ブレーキ１６が取り付けられている。図２は、ブレーキ１６の拡大断面を示す。ブレーキは、電磁石４６と、薄膜バネ等の弾力性のある又は柔軟な部材によってモータのロータ３４の１つの端部に結合されるブレーキディスク４２とを含む。薄膜バネにより、バネの付勢に対してブレーキディスクが軸線方向に移動できるが、ロータ３４とブレーキディスク４２との間での円周方向又は回転方向の移動は不可能である。電磁石は、コイル４８と環状鉄心５０とを有する。鉄心はＵ字型断面であり、ブレーキディスク４２に対向する開放端部を有し、モータ１４に隣接するＵ字部の基部を備える。２つの側面５６は、基部から環状チャンネル５８を形成する開放端部まで延び、コイル４８は、チャンネル５８内に巻き付けるかさもなければ配置される。バネ４４は、電磁石のコア５０と対向するが、小さな空隙６２によって軸方向に離間した休止位置でブレーキパッドを支持する。電磁石がアクティブになる、ブレーキディスクは、磁気吸引されて薄膜バネ４４の弾性付勢に対抗して電磁石にラッチされ、ロータを電磁石のコアに対して静止状態に保持する。鉄心の開放端部５２は、側面５６の軸線方向端部であり、ブレーキが作動する場合にブレーキディスクと係合する摩擦面５６を形成する。電磁石のコア５０は、モータのハウジング又はステータ部に固定されたブレーキカバー６４内に圧入されるか、さもなければ固定される。もしくは、コアは、モータに対して直接的に又はブレーキマウントを介して間接的に結合することができる。水の侵入に対してブレーキをシールするためにＯリングシール等のシールを設けることができる。
【００２４】
使用時、マスタシリンダ１２はモータ１４によって作動され、作動ピストン２２を油圧シリンダ２０内に押し込んで油圧回路を加圧する。所望の圧力に到達するとモータはオフになり、同時に伸縮バネが作動ピストン２２を付勢して、休止位置に戻るようにモータを逆に駆動する。モータへの電力を継続する代わりに、回路内の圧力を保持することが望まれる場合、電磁石４６をアクティブにして、鉄心５０の摩擦面６０に対してブレーキディスク４２を押し付けてブレーキを作動させることで、モータに継続的に電力を供給するよりも著しく少ない電力を使用して、作動ピストンによる駆動に対抗してモータを保持して油圧回路の圧力を保持できる。回路内の圧力を低下させる必要がある場合、電磁石をオフとして、モータを作動させて、作動ピストンを所望の解放速度及び量で解放するようになっている。同様に、回路内で更に高い圧力が必要な場合、モータを作動させ、電磁石を非アクティブにしてブレーキを解放してモータが作動ピストンを更に油圧シリンダ内に駆動できるようにする。従って、必要な場合に、電磁石を非アクティブにしてブレーキを解放して、作動ピストンを新しい所望の位置に動かすことができる。電磁石をオフにするとブレーキディスクが解放され、薄膜バネ４４はブレーキディスクを摩擦面と接触しない休止位置まで戻し、ロータは回転可能になる。
【００２５】
本発明の明細書及び請求の範囲において、動詞「備える」、「含む」、「包含する」、及び「有する」、及びそれらの変形語は、追加のアイテムの存在を除外するためではなく、記載したアイテムの存在を特定するために包括的な意味で使用される。
【００２６】
本発明は、１つ又はそれ以上の実施形態を参照して説明したが、当業者であれば、様々な変形例が可能であることを理解できるはずである。従って、本発明の範囲は、請求の範囲を参照して特定される。
【００２７】
例えば、薄膜バネは、ブレーキディスクをロータに結合するための単純な機構であり、薄膜バネによって、ディスクは電磁石によって軸方向に移動して摩擦面と係合し、電磁石がオフになると弾性でディスクは休止位置まで戻ることができる。薄膜バネは、ディスクとロータの間の回転運動を防止することもできる。同様の摩擦は、ディスクを休止位置に付勢するように配置されたコイルバネを備えたロータとブレーキディスクの間のスプライン結合等の他の機構によって実現できるはずである。
【００２８】
更に、特定の実施例では、電磁石がアクティブになった際にブレーキが作動するアクチュエータが記載されるが、バネによってブレーキが作動し、電磁石がアクティブになるとブレーキが解放される逆の構成も可能である。どちらの構成が好ましいかは故障要件を含むシステムの作動要求によって決まるであろう。
【符号の説明】
【００２９】
１０  電気油圧式アクチュエータ
１２  マスタシリンダ
１４  モータ
１６  ブレーキ
２０  油圧シリンダ
２２  作動ピストン
２４  拡大ヘッド又はフランジ
２６  ガイドピン
２８  伸縮バネ
３０  スクリュー
３２  出力軸
【図１】
2013135612.tif 000003
【図２】
2013135612.tif 000004
【外国語明細書】
2013135612.tif 000005
2013135612.tif 000006
2013135612.tif 000007
2013135612.tif 000008
2013135612.tif 000009
2013135612.tif 000010
2013135612.tif 000011
2013135612.tif 000012
2013135612.tif 000013
2013135612.tif 000014
2013135612.tif 000015